(57)【要約】【課題】正確性の高い認証を実現する。【解決手段】撮像部（１４０）と、表示部（１２０）と、データ制御部（１０２）とを備えた端末装置（１０）であって、撮像部（１４０）は、ユーザーを撮像できるように端末装置（１０）に搭載され、データ制御部（１０２）は、表示部（１２０）上の、撮像部（１４０）の搭載位置に対応する位置に、撮像部（１４０）が撮像した撮像画像を表示するよう表示部（１２０）を制御する。【選択図】図１
2017204137.tif 000002
【特許請求の範囲】
【請求項１】
撮像部と、表示部と、表示制御部とを備えた端末装置であって、
上記撮像部は、ユーザーを撮像できるように上記端末装置に搭載され、
上記表示制御部は、上記表示部上の、上記撮像部の搭載位置に対応する表示位置に、上記撮像部が撮像した撮像画像を表示するよう上記表示部を制御する
ことを特徴とする端末装置。
【請求項２】
上記端末装置の機種を特定する特定情報を取得する取得部と、
上記特定情報を参照して、上記表示位置を特定する特定部と
をさらに備えることを特徴とする請求項１に記載の端末装置。
【請求項３】
上記ユーザーによる、上記表示部の外周上における上記撮像部に近接する近接位置の入力を受け付ける受付部と、
上記受付部が受け付けた上記近接位置に応じて、上記表示位置を特定する特定部と
をさらに備えることを特徴とする請求項１に記載の端末装置。
【請求項４】
上記表示部上に目標画像を表示させた状態で上記撮像部が撮像した撮像画像からユーザーの目線方向を判定する判定部と、
上記判定部の判定結果を参照して、上記表示位置を特定する特定部と
をさらに備えることを特徴とする請求項１に記載の端末装置。
【請求項５】
上記判定部は、上記目標画像を移動させて上記目線方向を判定し、
上記特定部は、上記判定部が判定した上記目線方向が正面となる目標画像の位置に応じて、上記表示位置を特定する
ことを特徴とする請求項４に記載の端末装置。
【請求項６】
上記表示制御部が上記表示位置に上記撮像画像を表示させている状態において、当該撮像画像を、認証のための登録画像として登録する登録部をさらに備える
ことを特徴とする請求項１〜５の何れか１項に記載の端末装置。
【請求項７】
上記表示制御部が上記搭載位置に対応する位置に上記撮像画像を表示させている状態において、当該撮像画像を用いて認証を行う認証部をさらに備える
ことを特徴とする請求項１〜６の何れか１項に記載の端末装置。
【請求項８】
端末装置としてコンピュータを機能させるための表示制御プログラムであって、上記端末装置は、撮像部と、表示部とを備えており、上記撮像部は、ユーザーを撮像できるように上記端末装置に搭載され、上記コンピュータを、
上記表示部上の、上記撮像部の搭載位置に対応する表示位置に、上記撮像部が撮像した撮像画像を表示するよう上記表示部を制御する表示制御部として機能させるための表示制御プログラム。
【発明の詳細な説明】
【技術分野】
【０００１】
本発明は端末装置および表示制御プログラムに関する。
【背景技術】
【０００２】
本人を撮像した撮像画像を用いた本人認証が従来技術として知られている。例えば特許文献１には、目の画像を取り込む撮像カメラと、表示器とを同一面上に配置し、表示器にガイドキャラクタを表示させることで、ガイドキャラクタを見るように被認証者の目の位置を誘導し、虹彩認証する技術が開示されている。また特許文献２には、認証装置が本人認証の際に操作者の指や目を適正な撮影位置に誘導するためのガイド画像を表示する技術が開示されている。
【先行技術文献】
【特許文献】
【０００３】
【特許文献１】特開２００３−１０８９８３号公報（２００３年４月１１日公開）
【特許文献２】特開２００１−２７３４９８号公報（２００１年１０月５日公開）
【発明の概要】
【発明が解決しようとする課題】
【０００４】
本人認証を生体認証にて行う場合、例えば虹彩、白眼を用いた認証の場合には、対象を正面から捉えた画像を用いる方が正確性は高くなる。
【０００５】
上述の特許文献１には、表示器におけるガイドキャラクタの表示位置を制御することの開示はない。また、特許文献２も同様に、ガイド画像の表示位置を制御することの開示はない。したがって、上述のような従来技術においては、撮像カメラ等の撮像部の搭載位置とガイドキャラクタ等の画像の表示位置とが対応していない場合には、対象を正面から捉えられずに認証の正確性が低くなるときがあるという問題がある。
【０００６】
本発明は、前記の問題点に鑑みてなされたものであり、その目的は、正確性の高い認証を実現し得る画像を取得することにある。
【課題を解決するための手段】
【０００７】
上記の課題を解決するために、本発明の一態様に係る端末装置は、撮像部と、表示部と、表示制御部とを備えた端末装置であって、上記撮像部は、ユーザーを撮像できるように上記端末装置に搭載され、上記表示制御部は、上記表示部上の、上記撮像部の搭載位置に対応する表示位置に、上記撮像部が撮像した撮像画像を表示するよう上記表示部を制御する。
【発明の効果】
【０００８】
本発明の一態様によれば、正確性の高い認証を実現し得る画像を取得することができる、という効果を奏する。
【図面の簡単な説明】
【０００９】
【図１】本発明の実施形態１に係る本人認証システムのブロック図である。
【図２】本発明の実施形態１に係る端末装置における表示制御のフローチャートである。
【図３】本発明の実施形態１に係る端末装置における表示部の表示例である。
【図４】本発明の実施形態２に係る端末装置における表示制御のフローチャートである。
【図５】本発明の実施形態２に係る端末装置における表示部の表示例である。
【発明を実施するための形態】
【００１０】
〔実施形態１〕
以下、本発明の実施形態１について、図１〜図３に基づいて詳細に説明する。
【００１１】
図１は、本実施形態に係る本人認証システム１の概要を示す機能ブロック図である。図１に示されるように、本人認証システム１は、端末装置１０、およびサーバー２０を含んでいる。
【００１２】
端末装置１０は、データ制御部１０２とネットワーク制御部１０４と登録部１０６と認証部１０８とを含んだ制御部１００、端末ＯＳ１１２とアプリケーションソフト１１４とを少なくとも記憶する記憶部１１０、表示部１２０、入力部１３０、撮像部１４０、およびネットワーク通信部１５０を備えている。
【００１３】
データ制御部１０２は、撮像部１４０の端末装置１０における搭載位置の判断、および表示部１２０に撮像部１４０が撮像した撮像画像を表示させる制御を行う。
【００１４】
ネットワーク制御部１０４は、ネットワーク通信部１５０を制御する。
【００１５】
登録部１０６は、撮像部１４０が撮像した撮像画像を、認証のための登録画像として登録する。
【００１６】
認証部１０８は、撮像部１４０が撮像した撮像画像を用いて認証する。
【００１７】
端末ＯＳ１１２は、少なくとも、端末装置１０自身の機種を特定する特定情報（以下、機種名と称する。）を含んでいる。
【００１８】
アプリケーションソフト１１４は、表示制御プログラム、および流通量が多い端末装置の機種名と端末装置における撮像部の搭載位置を示す搭載位置情報とを対応付けたデータを格納する端末情報データベースを含んでいる。
【００１９】
表示部１２０は、少なくとも撮像部１４０が撮像した撮像画像を表示する。
【００２０】
入力部１３０は、ユーザーから情報が入力される。入力部１３０は、表示部１２０と一体に形成されたタッチパネルであってもよい。
【００２１】
撮像部１４０は、少なくともユーザーを撮像する。撮像部１４０は本人認証のための画像の取得に使われるほか、通常のカメラ機能を併せ持っていてもよく、その場合カメラ機能としての撮像時のモードとは別に本人認証用の認証用撮像モードを有していてもよい。この場合の認証用撮像モードとは、生体認証の精度がより向上するような画像が得られるように、輝度、鮮鋭度等が調整されたモードのことを言う。撮像部１４０は、表示部１２０の縁部付近の何れかの箇所に搭載されている。また、表示部１２０と撮像部１４０とは、端末装置１０の同一面上に配置されているとよい。
【００２２】
ネットワーク通信部１５０は、ネットワーク制御部１０４の制御により、サーバー２０等の外部の装置とデータの送受信等の通信をする。
【００２３】
なお、アプリケーションソフト１１４は、ネットワーク通信部１５０を介して、サーバー２０等の外部の装置からダウンロードされたものであってもよい。
【００２４】
この端末装置１０は、例えば携帯電話等の携帯端末に搭載されていてもよい。
【００２５】
サーバー２０は、データ制御部２０２とネットワーク制御部２０４とを含んだ制御部２００、携帯端末カメラ情報部２１５を少なくとも含んだ記憶部２１０、およびネットワーク通信部２２０を備えている。
【００２６】
データ制御部２０２は、携帯端末カメラ情報部２１５の検索を少なくとも行う。
【００２７】
ネットワーク制御部２０４は、ネットワーク通信部２２０を制御する。
【００２８】
携帯端末カメラ情報部２１５は、端末装置の機種名と端末装置における撮像部の搭載位置を示す搭載位置情報を対応付けたデータを格納する端末情報データベースを含んでいる。
【００２９】
ネットワーク通信部２２０は、ネットワーク制御部２０４の制御により、端末装置１０等の外部の装置とデータの送受信等の通信をする。
【００３０】
続いて、図２〜３を参照して、本実施形態に係る端末装置１０における表示制御方法を説明する。図２は、本実施形態に係る端末装置１０における表示制御方法の一例を説明するフローチャートである。また、図３は、表示部１２０における表示内容の一例を説明する図である。
【００３１】
ステップＳ０１において、データ制御部１０２は、ユーザーの入力部１３０への操作入力に応じて表示部１２０に登録開始画面を表示させる。
【００３２】
例えば図３の（ａ）に示されるように、端末装置１０の表示部１２０に、「登録を開始します。」と表示させてもよい。
【００３３】
ステップＳ０２において、データ制御部１０２は、端末ＯＳ１１２から端末装置１０自身の機種名を取得する。
【００３４】
ステップＳ０３において、データ制御部１０２は、ステップＳ０２において取得した機種名が、アプリケーションソフト１１４に含まれる端末情報データベースに存在するか否かを判定する。データ制御部１０２が、端末情報データベースに機種名が存在すると判定した場合には、ステップＳ０７に進む。一方、データ制御部１０２が、端末情報データベースに機種名が存在しないと判定した場合には、ステップＳ０４に進む。
【００３５】
ステップＳ０４において、ネットワーク制御部１０４は、ネットワーク通信部１５０を制御して、サーバー２０へ機種名を送信する。
【００３６】
端末装置１０からサーバー２０へ機種名が送信されると、ネットワーク制御部２０４は、ネットワーク通信部２２０を制御し、ネットワーク通信部２２０を介して機種名を受信する。続いて、データ制御部２０２は、携帯端末カメラ情報部２１５に機種名が存在するか検索する。続いて、ネットワーク制御部２０４は、ネットワーク通信部２２０を制御し、ネットワーク通信部２２０を介して機種名の検索結果を端末装置１０へ送信する。
【００３７】
ステップＳ０５において、データ制御部１０２は、ステップＳ０２において取得した機種名が、サーバー２０の端末情報データベースに存在するか否かを判定する。データ制御部１０２が、端末情報データベースに機種名が存在すると判定した場合には、ステップＳ０７に進む。一方、データ制御部１０２が、サーバー２０の端末情報データベースに機種名が存在しないと判定した場合には、ステップＳ０６に進む。
【００３８】
ステップＳ０６において、データ制御部１０２は、表示部１２０に、撮像部位置ユーザー選択画面を表示させる。撮像部位置ユーザー選択画面は、例えば図３の（ｂ）に示されるように、端末装置１０の表示部１２０に、「インカメラの位置にいちばん近い○をタッチしてください。」と表示するとともに、複数個（図３の（ｂ）においては６個）の入力部１３０を、表示部１２０の外周上における撮像部が搭載されていると予想される候補位置に近接する近接位置に表示する画面であってよい。この近接位置の入力部１３０へのユーザーからの入力に応じて、データ制御部１０２は、撮像部１４０の搭載位置を特定する。
【００３９】
ステップＳ０７において、データ制御部１０２は、撮像部１４０を起動する。このとき、撮像部１４０の撮像モードは、認証用撮像モードに設定されていることが好ましい。認証用撮像モードに設定されていない場合、データ制御部１０２は、表示部１２０に、認証用撮像モードに設定することを促すメッセージを表示させてもよい。
【００４０】
ステップＳ０８において、データ制御部１０２は、目画像プレビュー表示処理を行う。データ制御部１０２は、ステップＳ０２〜ステップＳ０６の処理において、撮像部１４０の搭載位置を判断している。すなわち、アプリケーションソフト１１４に含まれる端末情報データベースに機種名が存在した場合は、当該端末情報データベースに記憶されている搭載位置情報を参照して、撮像部１４０の搭載位置を判断する。また、サーバー２０の端末情報データベースに機種名が存在した場合は、当該端末情報データベースに記憶されている搭載位置情報を参照して、撮像部１４０の搭載位置を判断する。なお、ステップＳ０３およびステップＳ０５においては、端末情報データベースに存在する機種名によって、撮像部１４０の搭載位置を判断しているが、本実施形態は、機種名を参照して撮像部１４０の搭載位置が特定できればよい。例えば端末ＯＳ１１２が、機種名から撮像部１４０の搭載位置情報を取得できるＡＰＩを含み、撮像部１４０の搭載位置を判断できる構成であってもよい。また、データ制御部１０２が搭載位置情報を受け付けた場合は、当該搭載位置情報を参照して、撮像部１４０の搭載位置を判断する。
【００４１】
そして、データ制御部１０２は、以上のように得られた搭載位置から、表示部１２０上の、撮像部１４０の搭載位置に対応する表示位置を特定し、当該表示位置に、撮像部１４０が撮像した撮像画像を表示するよう、表示部１２０を制御する。例えば、図３の（ｃ−１）に示されるように撮像部１４０ａが表示部１２０の縁部付近の上部に搭載されている場合は、目画像１６０ａは、表示部１２０上の上部に表示される。また、図３の（ｃ−２）に示されるように撮像部１４０ｂが表示部１２０の縁部付近の左下部に搭載されている場合は、目画像１６０ｂは、表示部１２０上の左下部に表示される。
【００４２】
さらに登録部１０６は、例えば端末装置１０を操作するユーザーの入力部１３０への入力に応じて、撮像部１４０が撮像した目画像を、認証のための登録画像として記憶部１１０に登録させてもよい。
【００４３】
なお、上記では、認証に用いる登録画像の取得時におけるフローの例を説明しているが、認証時においても、本実施形態と同様の表示制御を行い、認証部１０８が、撮像部１４０が撮像した目画像を用いて認証してもよい。
【００４４】
また、本実施形態においては、登録画像を登録する登録部、および画像を用いて認証する認証部は、端末装置１０に備わっているが、登録部、および認証部はサーバー２０に備わっていてもよい。この場合、サーバー２０は、撮像部１４０が撮像した目画像を端末装置１０から受信し、サーバー２０において、ユーザーの目画像の登録処理および認証処理を行う。
【００４５】
〔実施形態２〕
本発明の他の実施形態について、図４〜図５に基づいて説明すれば、以下のとおりである。なお、説明の便宜上、前記実施形態にて説明した部材と同じ機能を有する部材については、同じ符号を付記し、その説明を省略する。
【００４６】
図４は、本実施形態に係る端末装置１０における表示制御方法の一例を説明するフローチャートである。また、図５は、表示部１２０における表示内容の一例を説明する図である。
【００４７】
ステップＳ１１において、データ制御部１０２は、ユーザーの入力部１３０への操作入力に応じて表示部１２０に登録開始画面を表示させる。例えば図５の（ａ）に示されるように、端末装置１０の表示部１２０に、「登録を開始します。」と表示するとよい。
【００４８】
ステップＳ１２において、データ制御部１０２は、端末ＯＳ１１２から端末装置１０自身の機種名を取得する。
【００４９】
ステップＳ１３において、データ制御部１０２は、ステップＳ１２において取得した機種名が、アプリケーションソフト１１４に含まれる端末情報データベースに存在するか否かを判定する。データ制御部１０２は、端末情報データベースに機種名が存在すると判定した場合には、ステップＳ２０に進む。一方、データ制御部１０２は、端末情報データベースに機種名が存在しないと判定した場合には、ステップＳ１４に進む。
【００５０】
ステップＳ１４において、ネットワーク制御部１０４は、ネットワーク通信部１５０を制御して、サーバー２０へ機種名を送信する。
【００５１】
端末装置１０からサーバー２０へ機種名が送信されると、ネットワーク制御部２０４は、ネットワーク通信部２２０を制御し、ネットワーク通信部２２０を介して機種名を受信する。続いて、データ制御部２０２は、携帯端末カメラ情報部２１５に機種名が存在するか検索する。続いて、ネットワーク制御部２０４は、ネットワーク通信部２２０を制御し、ネットワーク通信部２２０を介して機種名の検索結果を端末装置１０へ送信する。
【００５２】
ステップＳ１５において、データ制御部１０２は、ステップＳ１２において取得した機種名が、サーバー２０の端末情報データベースに存在するか否かを判定する。データ制御部１０２は、端末情報データベースに機種名が存在すると判定した場合には、ステップＳ２０に進む。一方、データ制御部１０２は、サーバー２０の端末情報データベースに機種名が存在しないと判定した場合には、ステップＳ１６に進む。
【００５３】
ステップＳ１６において、データ制御部１０２は、撮像部１４０を起動する。このとき、撮像部１４０の撮像モードは、認証用撮像モードに設定されていることが好ましい。認証用撮像モードに設定されていない場合、データ制御部１０２は、表示部１２０に、認証用撮像モードに設定することを促すメッセージを表示させてもよい。
【００５４】
ステップＳ１７において、まずデータ制御部１０２は、表示部１２０に、例えば図５の（ｂ）に示されるように、「プレビュー位置を決定します。端末に顔を向けて、画面の●を見ながら両目を映してください。」と表示させる。次にデータ制御部１０２は、例えば図５の（ｃ−１）に示されるように、表示部１２０の判定位置に目標画像１７０ａを表示させ、表示部１２０の中央部にカウンタ１８０を表示させ、例えば図５の（ｃ−２）に示されるような、撮像部１４０が撮像した撮像画像１９０ａのうち目および目の周囲の目画像２００ａを、目標画像１７０ａの周囲の領域１６０ｃにプレビュー表示させる。なお、データ制御部１０２は、カウンタ１８０に５秒間程カウントさせ、表示部１２０の中央部に、カウントダウンする数字を表示させてもよい。また、データ制御部１０２は、目画像２００ａが目標画像１７０ａの後ろに薄く透過した状態で表示されるように、表示制御してもよい。
【００５５】
ここで、本実施形態においては、一例として、図５の各図に示されるように、端末装置１０が撮像部１４０ｃを表示部１２０の縁部付近の下部に搭載している。
【００５６】
図５の（ｃ−１）に示される場合においては、目標画像１７０ａが、表示部１２０の縁部付近の上部に表示されているので、ユーザーの目の目線方向は上向きであり、プレビュー表示される目画像２００ａの目は黒目が目の上部側に寄る。
【００５７】
また、図５の（ｃ−３）に示される場合においては、目標画像１７０ｂが、表示部１２０の縁部付近の下部に表示されているので、撮像部１４０は、図５の（ｃ−４）に示されるような目画像２００ｂを含む画像１９０ｂを撮像する。そして、目標画像１７０ｂの周囲の領域１６０ｄ領域にプレビュー表示される目画像２００ｂの目線方向は正面である。
【００５８】
ステップＳ１８において、データ制御部１０２は、撮像部１４０が撮像した撮像画像におけるユーザーの目線方向を判定し、目線方向が正面であるか否かを判断する。例えば、撮像部１４０が撮像した目の画像の上下左右の各々における白目の領域の割合に応じて、目線方向が正面であると判断してもよい。すなわち、目の画像の上下の各々における白目の割合が略同じであり、目の画像の左右の各々における白目の割合が略同じである場合に、目線方向が正面であると判断してもよい。また、撮像部１４０が撮像した目の画像と、所期の画像としての正面を向いている目の画像とを比較し、撮像した目の画像が正面を向いている目の画像に所望の程度類似している場合に、目線方向が正面であると判断してもよい。データ制御部１０２は、目画像の目が正面を向いていると判定した場合には、ステップＳ２０に進む。一方、データ制御部１０２は、目画像の目が正面を向いていないと判定した場合には、ステップＳ１９に進む。
【００５９】
ステップＳ１９において、データ制御部１０２は、判定位置を別の箇所に移動して、ステップＳ１７に戻る。
【００６０】
なお、図４に示される表示制御のフローにおいては、他の判定位置における判定結果と関係なく、現在の判定位置における判定結果により目が正面を向いているか否かを判断している。しかしながら、データ制御部１０２は、予め定められた判定位置すべてにおいて、目画像の目線方向が正面であるかを判断し、最も目線方向が正面である画像を取得できる判定位置（目標画像の表示位置）が、目画像のプレビュー位置と判断してもよい。つまり、データ制御部１０２は、少なくとも目画像の目線方向が正面であると判断するまで、判定位置（目標画像の表示位置）を変えて、ステップＳ１７〜ステップＳ１９の処理を行えばよい。
【００６１】
ステップＳ２０において、データ制御部１０２は、目画像プレビュー表示処理を行う。ここで、ステップＳ１３において機種名が端末情報データベースに存在した場合、またはステップＳ１５において機種名がサーバー２０の端末情報データベースに存在した場合は、この目画像プレビュー表示処理の前に、データ制御部１０２は撮像部１４０を起動する。データ制御部１０２は、ステップＳ１２〜ステップＳ１９の処理において、撮像部１４０の搭載位置を判断している。すなわち、アプリケーションソフト１１４に含まれる端末情報データベースに機種名が存在した場合は、当該端末情報データベースに記憶されている搭載位置情報を参照して、撮像部１４０の搭載位置を判断する。また、サーバー２０の端末情報データベースに機種名が存在した場合は、当該端末情報データベースに記憶されている搭載位置情報を参照して、撮像部１４０の搭載位置を判断する。また、データ制御部１０２が目標画像を見る目の目線方向が正面であると判断した場合は、当該目標画像の表示位置を参照して撮像部の搭載位置を判断する。
【００６２】
データ制御部１０２は、表示部１２０上の、撮像部１４０の搭載位置に対応する位置に、撮像部１４０が撮像した撮像画像を表示するよう、表示部１２０を制御する。本実施形態においては、端末装置１０が撮像部１４０ｃを表示部１２０の縁部付近の下部に搭載しているので、図５の（ｄ）に示されるように、目画像１６０ｅは、表示部１２０上の下部に表示される。
【００６３】
〔ソフトウェアによる実現例〕
端末装置１０の制御ブロック（特にデータ制御部１０２）は、集積回路（ＩＣチップ）等に形成された論理回路（ハードウェア）によって実現してもよいし、ＣＰＵ（Central Processing Unit）を用いてソフトウェアによって実現してもよい。
【００６４】
後者の場合、端末装置１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６５】
〔まとめ〕
本発明の態様１に係る端末装置１０は、撮像部１４０と、表示部１２０と、表示制御部（データ制御部１０２）とを備えた端末装置であって、上記撮像部１４０は、ユーザーを撮像できるように上記端末装置１０に搭載され、上記表示制御部（データ制御部１０２）は、上記表示部１２０上の、上記撮像部１４０の搭載位置に対応する表示位置に、上記撮像部１４０が撮像した撮像画像を表示するよう上記表示部１２０を制御する。
【００６６】
上記の構成によれば、表示部１２０上の撮像部１４０の搭載位置に対応する位置に、撮像部１４０が撮像した撮像画像を表示して、ユーザーが撮像部１４０の方に向かうようにするので、正確性の高い認証を実現し得る画像を取得することができる。
【００６７】
本発明の態様２に係る端末装置１０は、上記態様１において、上記端末装置１０の機種を特定する特定情報を取得する取得部（データ制御部１０２）と、上記特定情報を参照して、上記表示位置を特定する特定部（データ制御部１０２）とをさらに備えてもよい。
【００６８】
上記の構成によれば、特定情報を参照して撮像部１４０の搭載位置を特定するので、より正確に撮像部１４０の搭載位置を特定することができる。
【００６９】
本発明の態様３に係る端末装置１０は、上記態様１において、上記ユーザーによる、上記表示部１２０の外周上における上記撮像部１４０に近接する近接位置の入力を受け付ける受付部（データ制御部１０２）と、上記受付部（データ制御部１０２）が受け付けた上記近接位置に応じて、上記表示位置を特定する特定部（データ制御部１０２）とをさらに備えてもよい。
【００７０】
上記の構成によれば、撮像部に近接する位置へのユーザーからの入力を受け付けることにより、撮像部１４０の搭載位置を正確に判断することができる。
【００７１】
本発明の態様４に係る端末装置１０は、上記態様１において、上記表示部１２０上に目標画像を表示させた状態で上記撮像部１４０が撮像した撮像画像からユーザーの目線方向を判定する判定部（データ制御部１０２）と、上記判定部（データ制御部１０２）の判定結果を参照して、上記表示位置を特定する特定部（データ制御部１０２）とをさらに備えてもよい。
【００７２】
上記の構成によれば、ユーザーの目線方向から撮像部１４０の搭載位置に対応する位置を判断するので、ユーザーがより正面を向いた状態で、ユーザーを撮像することができる。
【００７３】
本発明の態様５に係る端末装置１０は、上記態様４において、上記判定部（データ制御部１０２）は、上記目標画像を移動させて上記目線方向を判定し、上記特定部（データ制御部１０２）は、上記判定部（データ制御部１０２）が判定した上記目線方向が正面となる目標画像の位置に応じて、上記表示位置を特定してもよい。
【００７４】
上記の構成によれば、ユーザーが正面を向く状態で、ユーザーを撮像するので、正確性の高い認証を実現することができる。
【００７５】
本発明の態様６に係る端末装置１０は、上記態様１〜５の何れか１態様において、上記表示制御部（データ制御部１０２）が上記表示位置に上記撮像画像を表示させている状態において、当該撮像画像を、認証のための登録画像として登録する登録部１０６をさらに備えてもよい。
【００７６】
上記の構成によれば、ユーザーを正面から捉えた画像を認証のための登録画像として登録することができる。
【００７７】
本発明の態様７に係る端末装置１０は、上記態様１〜６の何れか１態様において、上記表示制御部（データ制御部１０２）が上記搭載位置に対応する位置に上記撮像画像を表示させている状態において、当該撮像画像を用いて認証を行う認証部１０８をさらに備えてもよい。
【００７８】
上記の構成によれば、ユーザーを正面から捉えた画像を用いて認証することができる。
【００７９】
本発明の態様８に係る表示制御方法は、端末装置１０に搭載された撮像部１４０がユーザーを撮像するステップと、上記端末装置１０に備わる表示部１２０上の、上記撮像部１４０の搭載位置に対応する表示位置に、上記撮像部１４０が撮像した撮像画像を表示するよう上記表示部１２０を制御するステップとを有する。
【００８０】
上記の構成によれば、表示部１２０上の撮像部１４０の搭載位置に対応する位置に、撮像部１４０が撮像した撮像画像を表示して、ユーザーが撮像部１４０の方に向かうようにするので、正確性の高い認証を実現し得る画像を取得することができる。
【００８１】
本発明の各態様に係る端末装置は、コンピュータによって実現してもよく、この場合には、コンピュータを上記端末装置が備える各部（ソフトウェア要素）として動作させることにより上記端末装置をコンピュータにて実現させる端末装置の表示制御プログラム、およびそれを記録したコンピュータ読み取り可能な記録媒体も、本発明の範疇に入る。
【００８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８３】
１０  端末装置
１０２  データ制御部（表示制御部、取得部、特定部、受付部、判定部）
１０６  登録部
１０８  認証部
１４０  撮像部
【図１】
2017204137.tif 000003
【図２】
2017204137.tif 000004
【図３】
2017204137.tif 000005
【図４】
2017204137.tif 000006
【図５】
2017204137.tif 000007